(57)【要約】【課題】広範な文献を関係付けて表示することにより、有効な文献を容易に見つけるとともに、文献調査の効率を向上させること。【解決手段】産業財産権情報取得部１０２は、ターゲットの産業財産権情報を取得する。文献情報抽出部１０３は、産業財産権情報から文献情報を抽出する。ターゲット設定部１０４は、ターゲットを設定する。時系列表示制御部１０５は、ターゲット及び文献情報を関係付けて時系列表示する時系列表示処理を実行する。世代表示制御部１０６は、最初に設定したターゲットからの文献情報の抽出の回数と引用文献であるか被引用文献であるかの文献種別とで決定する世代毎に文献情報を表示する世代表示処理を実行する。表示部１０８は、ターゲットと関係付けた文献情報を表示する。【選択図】図１
2009116536.tif 000002
【特許請求の範囲】
【請求項１】
産業財産権の情報である産業財産権情報を取得する産業財産権情報取得手段と、
ターゲットの引用文献または被引用文献の情報である引例情報を前記産業財産権情報から抽出するとともに、前記引例情報を抽出する毎に、抽出した前記引例情報を新たに前記ターゲットに設定して前記抽出を繰り返す引例情報抽出手段と、
前記引例情報抽出手段が前記抽出を繰り返すことにより芋蔓式に抽出した前記引例情報を前記ターゲットと関係付けて表示する表示手段と、
を具備する文献情報表示装置。
【請求項２】
前記表示手段は、国際特許分類により選択した前記引例情報を表示する請求項１記載の文献情報表示装置。
【請求項３】
最初に設定した前記ターゲットからの前記抽出の回数と引用文献であるか被引用文献であるかの文献種別とによって決まる世代を指示する世代指示手段と、
前記引例情報抽出手段が抽出した前記引例情報を前記世代指示手段が指示する前記世代の範囲に限定する表示制御手段とを具備し、
前記表示手段は、前記表示制御手段が限定した範囲の前記引例情報を表示する請求項１または請求項２記載の文献情報表示装置。
【請求項４】
前記表示手段は、前記表示制御手段が限定した範囲の前記引例情報を前記引用文献または前記被引用文献の発行年度に応じて選択可能に表示する請求項３記載の文献情報表示装置。
【請求項５】
前記表示手段は、現在のステータスに応じて前記引例情報の表示を異ならせる請求項１から請求項４のいずれかに記載の文献情報表示装置。
【請求項６】
前記抽出の繰り返しにより芋蔓式に抽出した前記引例情報を記憶する記憶手段を具備し、
前記表示手段は、前記記憶手段に記憶している前記引例情報と新たに前記抽出の繰り返しにより芋蔓式に抽出した前記引例情報とを合成して１画面で表示する請求項１から請求項５のいずれかに記載の文献情報表示装置。
【請求項７】
前記表示手段は、重複する前記引例情報を１つに統合して強調表示する請求項６記載の文献情報表示装置。
【請求項８】
産業財産権の情報である産業財産権情報を取得するステップと、
ターゲットの引用文献または被引用文献の情報である引例情報を前記産業財産権情報から抽出するとともに、前記引例情報を抽出する毎に、抽出した前記引例情報を新たに前記ターゲットに設定して前記抽出を繰り返すステップと、
前記抽出を繰り返すことにより芋蔓式に抽出した前記引例情報を前記ターゲットと関係付けて表示するステップと、
を具備する文献情報表示方法。
【請求項９】
最初に設定した前記ターゲットからの前記抽出の回数と引用文献であるか被引用文献であるかの文献種別とによって決まる世代を指示するステップと、
抽出した前記引例情報を指示された前記世代の範囲に限定するステップとを具備し、
限定した範囲の前記引例情報を表示する請求項８記載の文献情報表示方法。
【発明の詳細な説明】
【技術分野】
【０００１】
本発明は、例えば産業財産権に関する出願の審査で引用された文献を表示する文献情報表示装置及び文献情報表示方法に関する。
【背景技術】
【０００２】
従来、整理標準化データとして配信される特許権、実用新案権、意匠権及び商標権等の産業財産権に関するデータには文献情報が含まれる。文献情報の文献は、主に引用文献と被引用文献とに分類される。ここで、引用文献とは、ターゲットとなる出願の審査で引用若しくは提出された文献、またはターゲットとなる権利に係る審判で提出された文献である。また、被引用文献とは、ターゲットとなる出願またはターゲットとなる権利に係る文献が引用された他の出願または他の権利に係る文献である。例えば、引用文献及び被引用文献は、拒絶理由通知で引用された文献、情報提供により提出された文献または無効審判で無効資料として提出された文献である。また、引用文献及び被引用文献は、産業財産権に関する出願または権利に係る文献である場合が多いことから、引用文献または被引用文献を辿っていけば、最初のターゲットとなる出願または権利と技術的思想が近似した文献を見つけることができる。
【０００３】
しかし、従来の引用文献または被引用文献を辿る方法では、文献情報を抽出する毎に引用文献及び被引用文献の画面の表示が更新されるので、ユーザは、最初のターゲットに対する現在表示されている引用文献及び被引用文献の関係の把握が困難であるという問題がある。
【０００４】
このような問題を解決する方法として、抽出した各文献の公開番号、発明の名称及び出願人の文献情報を、文献毎に関係付けて１画面に表示する関係図作成装置が知られている（例えば、特許文献１）。特許文献１では、関係図作成装置は、各文献の関連度を求めて、求めた関連度に応じて、関係線を用いて各文献情報を表示する。従って、ユーザは、特許文献１の関係図作成装置を用いれば、引用文献及び被引用文献を辿る過程において、最初のターゲットに対する各引用文献及び各被引用文献の関係を把握することができる。
【特許文献１】特開２００５−１２２２９５号公報
【発明の開示】
【発明が解決しようとする課題】
【０００５】
しかしながら、特許文献１においては、時間の後退方向または時間の進行方向にのみ辿った文献を表示するので、限られた範囲の文献しか表示できないという問題がある。従って、例えば、引用文献及び被引用文献を辿る文献調査を行って、特許無効審判により特許を無効にするための無効資料を探す際に、関係線を用いて１画面に表示された文献の範囲内では有効な無効資料を見つけることができる可能性が低く、文献調査の効率が悪いという問題がある。
【０００６】
本発明はかかる点に鑑みてなされたものであり、広範な文献を関係付けて表示することにより、有効な文献を容易に見つけることができるとともに、文献調査の効率を向上させることができる文献情報表示装置及び文献情報表示方法を提供することを目的とする。
【課題を解決するための手段】
【０００７】
本発明の文献情報表示装置は、産業財産権の情報である産業財産権情報を取得する産業財産権情報取得手段と、ターゲットの引用文献または被引用文献の情報である文献情報を前記産業財産権情報から抽出するとともに、前記文献情報を抽出する毎に、抽出した前記文献情報を新たに前記ターゲットに設定して前記抽出を繰り返す文献情報抽出手段と、前記文献情報抽出手段が前記抽出を繰り返すことにより芋蔓式に抽出した前記文献情報を前記ターゲットと関係付けて表示する表示手段と、を具備する構成を採る。
【０００８】
本発明の文献情報表示方法は、産業財産権の情報である産業財産権情報を取得するステップと、ターゲットの引用文献または被引用文献の情報である文献情報を前記産業財産権情報から抽出するとともに、前記文献情報を抽出する毎に、抽出した前記文献情報を新たに前記ターゲットに設定して前記抽出を繰り返すステップと、前記抽出を繰り返すことにより芋蔓式に抽出した前記文献情報を前記ターゲットと関係付けて表示するステップと、を具備するようにした。
【発明の効果】
【０００９】
本発明によれば、広範な文献を関係付けて表示することにより、有効な文献を容易に見つけることができるとともに、文献調査の効率を向上させることができる。
【発明を実施するための最良の形態】
【００１０】
以下、本発明の実施の形態について、図面を参照して詳細に説明する。
【００１１】
（実施の形態１）
図１は、本発明の実施の形態１に係る文献情報表示装置１００の構成を示すブロック図である。
【００１２】
格納部１０１は、データベースまたはＣＤ−ＲＯＭ等の記憶媒体から整理標準化データ等の産業財産権に関するデータを取得し、取得した産業財産権に関するデータを格納する。
【００１３】
産業財産権情報取得部１０２は、格納部１０１に格納している産業財産権に関するデータの中から、ターゲット設定部１０４から入力したターゲットの産業財産権情報を取得する。そして、産業財産権情報取得部１０２は、取得した産業財産権情報を文献情報抽出部１０３へ出力する。ここで、産業財産権情報とは、文献情報を含むものであり、文献情報の他に書誌事項及び出願経過情報等を含む情報である。また、ターゲットとは、出願番号、公開番号または登録番号等の産業財産権に係る出願または権利を特定するものである。
【００１４】
文献情報抽出部１０３は、産業財産権情報取得部１０２から入力した産業財産権情報から文献情報を抽出する。そして、文献情報抽出部１０３は、抽出した文献情報をターゲットと共に時系列表示制御部１０５及び世代表示制御部１０６へ出力する。また、文献情報抽出部１０３は、抽出した文献情報をターゲット設定部１０４へ出力する。ここで、文献情報とは、例えば引用文献または被引用文献の出願番号、出願公開番号または登録番号である。
【００１５】
ターゲット設定部１０４は、後述する入力部１０７からターゲットが入力した場合に、入力したターゲットを産業財産権情報取得部１０２へ出力する。また、ターゲット設定部１０４は、文献情報抽出部１０３から文献情報が入力する毎に、入力した文献情報を新たにターゲットに各々設定することによりターゲットを更新する。そして、ターゲット設定部１０４は、更新したターゲットを産業財産権情報取得部１０２へ出力する。また、ターゲット設定部１０４は、ターゲットの更新回数が、入力部１０７から入力したターゲットの更新回数の上限値に達した際に、産業財産権情報取得部１０２に対するターゲットの出力を停止する。
【００１６】
時系列表示制御部１０５は、文献情報抽出部１０３から入力した、文献情報の引用文献及び被引用文献と、ターゲットとを互いに関係付ける関係付け処理を実行する。また、時系列表示制御部１０５は、文献情報抽出部１０３から入力した文献情報の引用文献、被引用文献及びターゲットを出願日または公開日等に応じて時系列に表示する表示データを生成する時系列表示処理を実行する。また、時系列表示制御部１０５は、世代表示制御部１０６から、選択された引用文献及び被引用文献の情報である選択文献情報が入力した際に、入力した選択文献情報の引用文献及び被引用文献のみを時系列に表示する表示データを生成する時系列表示処理を実行する。また、時系列表示制御部１０５は、引用文献及び被引用文献の現在のステータスに応じて表示を異ならせる処理を実行する。例えば、時系列表示制御部１０５は、各文献情報の表示を色抜きにするとともに、色抜きした際の色彩を現在の文献情報のステータスに応じて変える処理を実行する。ここで、ステータスとは、例えば、出願取り下げ、登録、審査中または拒絶査定等である。そして、時系列表示制御部１０５は、入力部１０７から出力の指示を受けた際に、生成した表示データを表示部１０８へ出力する。
【００１７】
世代表示制御部１０６は、文献情報抽出部１０３から入力した引用文献、被引用文献及びターゲットに対して、引用文献であるか被引用文献であるかの文献種別と最初に設定したターゲットからの検索回数とによって決定される世代毎に、文献情報抽出部１０３から入力した文献情報の引用文献、被引用文献及びターゲットを分類し、分類した世代毎に一覧表示する表示データを生成する世代表示処理を実行する。また、世代表示制御部１０６は、入力部１０７から世代を指示する世代指示信号が入力した際に、入力した世代指示信号によって指示された世代の表示データを生成する世代表示処理を実行する。そして、世代表示制御部１０６は、入力部１０７から出力の指示を受けた際に、生成した表示データを表示部１０８へ出力する。また、世代表示制御部１０６は、入力部１０７から世代指示信号が入力した際に、入力した世代指示信号によって指示された世代の引用文献及び被引用文献の選択文献情報を生成し、生成した選択文献情報を時系列表示制御部１０５へ出力する。
【００１８】
入力部１０７は、ターゲットの外部からの入力を受け付け、受け付けたターゲットをターゲット設定部１０４へ出力する。また、入力部１０７は、世代を指示する世代指示信号の入力を受け付け、受け付けた世代指示信号を世代表示制御部１０６へ出力する。また、入力部１０７は、時系列表示及び世代表示の表示形態選択信号の入力を受け付ける。そして、入力部１０７は、時系列表示の表示形態選択信号の入力を受け付けた場合には、時系列表示制御部１０５に対してデータの出力を指示する。一方、入力部１０７は、世代表示の表示形態選択信号の入力を受け付けた場合には、世代表示制御部１０６に対してデータの出力を指示する。また、入力部１０７は、ターゲットの更新回数の上限値の外部からの入力を受け付けて、受け付けた上限値をターゲット設定部１０４へ出力する。
【００１９】
表示部１０８は、時系列表示制御部１０５または世代表示制御部１０６から入力した表示データにより、ターゲットと関係付けた文献情報を表示する。また、表示部１０８は、指示された世代の文献情報の表示件数を文献情報と共に、または文献情報とは別に表示する。
【００２０】
次に、文献情報表示装置１００を用いた文献情報表示方法について、図２を用いて説明する。図２は、文献情報表示方法を示すシーケンス図である。
【００２１】
最初に、格納部１０１は、整理標準化データ等の産業財産権に関するデータを格納する（ステップＳＴ２０１）。
【００２２】
次に、入力部１０７は、ターゲットの外部からの入力を受け付け、受け付けたターゲットをターゲット設定部１０４へ出力し、ターゲット設定部１０４は、ターゲットを産業財産権情報取得部１０２へ出力する（ステップＳＴ２０２）。
【００２３】
次に、産業財産権情報取得部１０２は、格納部１０１に格納されている産業財産権に関するデータの中から、ターゲットの産業財産権情報を取得する（ステップＳＴ２０３）。
【００２４】
次に、産業財産権情報取得部１０２は、取得した産業財産権情報を文献情報抽出部１０３へ出力する（ステップＳＴ２０４）。
【００２５】
次に、文献情報抽出部１０３は、取得した産業財産権情報に含まれる文献情報を抽出し、抽出した文献情報を時系列表示制御部１０５、世代表示制御部１０６及びターゲット設定部１０４へ出力する（ステップＳＴ２０５〜ステップＳＴ２０７）。
【００２６】
次に、ターゲット設定部１０４は、文献情報抽出部１０３から入力した文献情報をターゲットに新たに設定することによりターゲットを更新する。そして、ターゲット設定部１０４は、更新したターゲットを産業財産権情報取得部１０２へ出力する（ステップＳＴ２０８）。
【００２７】
そして、文献情報表示装置１００は、ステップＳＴ２０３〜ステップＳＴ２０８の処理を所定回数繰り返す。
【００２８】
次に、時系列表示制御部１０５は、文献情報抽出部１０３から順次入力した文献情報及びターゲットを出願日または公開日に応じた時系列に表示する表示データを生成する時系列表示処理を実行する。
【００２９】
また、世代表示制御部１０６は、文献情報抽出部１０３から入力した文献情報が引用文献であるか被引用文献でるかの文献種別と検索回数とによって決定される世代毎に分類し、世代毎に一覧表示する表示データを生成する世代表示処理を実行する。
【００３０】
次に、時系列表示制御部１０５は、入力部１０７から出力を指示された際に（ステップＳＴ２０９）、時系列表示処理した表示データを表示部１０８へ出力する（ステップＳＴ２１０）。
【００３１】
また、世代表示制御部１０６は、入力部１０７から出力を指示された際に（ステップＳＴ２１１）、世代表示処理した表示データを表示部１０８へ出力する（ステップＳＴ２１２）。
【００３２】
次に、世代表示制御部１０６は、入力部１０７から世代指示信号を受けて（ステップＳＴ２１３）、世代指示信号によって指示された世代の引用文献及び被引用文献の表示データを生成して表示部１０８へ出力する（ステップＳＴ２１４）。
【００３３】
また、世代表示制御部１０６は、世代指示信号によって指示された世代の引用文献及び被引用文献の選択文献情報を時系列表示制御部１０５へ出力する（ステップＳＴ２１５）。
【００３４】
次に、時系列表示制御部１０５は、入力部１０７から出力を指示された際に（ステップＳＴ２１６）、指示された世代の引用文献及び被引用文献の表示データを表示部１０８へ出力する（ステップＳＴ２１７）。
【００３５】
図３は、時系列表示処理した表示データにより文献情報を表示部１０８に表示した状態を示す図である。
【００３６】
図３より、産業財産権情報取得部１０２は、最初のターゲット＃３０１である「特開２００６−１５５６４９」を用いて検索を実行することにより、文献情報抽出部１０３は、ターゲット＃３０１の１世代前の引用文献＃３０２である「特開平１１−１６１６７２」を取得する。また、ターゲット設定部１０４は、引用文献＃３０２を新たなターゲットとして設定し、産業財産権情報取得部１０２は、引用文献＃３０２を用いて検索を実行することにより、文献情報抽出部１０３は、ターゲット＃３０１の２世代前の引用文献＃３０３である「特開平３−９５６７３」、ターゲット＃３０１の２世代前の引用文献＃３０４である「特開平６−２８３５５」、ターゲット＃３０１の２世代前の引用文献＃３０５である「特開平８−１１５３３２」、ターゲット＃３０１の２世代前の引用文献＃３０６である「特開平９−２６９７５」及びターゲット＃３０１の２世代前の引用文献＃３０７である「特開平９−６２７０４」を取得する。また、産業財産権情報取得部１０２は、引用文献＃３０２を用いて検索を実行することにより、文献情報抽出部１０３は、ターゲット＃３０１と同世代の被引用文献＃３０８である「特開２００４−５２０６４７」、ターゲット＃３０１と同世代の被引用文献＃３０９である「特開２００４−８６３９１」、ターゲット＃３０１と同世代の被引用文献＃３１０である「特開２００３−１２２７１５」、ターゲット＃３０１と同世代の被引用文献＃３１１である「特開２００３−１４０９８７」及びターゲット＃３０１と同世代の被引用文献＃３１２である「特開２０００−５７０３６」を取得する。
【００３７】
さらに、ターゲット設定部１０４は、引用文献＃３１２を新たなターゲットとして設定し、産業財産権情報取得部１０２は、引用文献＃３１２を用いて検索を実行することにより、ターゲット＃３０１よりも１世代後の被引用文献＃３１３である「特開２００２−３６６７５２」及びターゲット＃３０１よりも１世代後の被引用文献＃３１４である「特開２００１−２９０８１７」を取得する。
【００３８】
図４は、世代表示処理した表示データにより文献情報を表示部１０８に表示した状態を示す図である。図４において、縦軸は世代であり、横軸は公開日である。
【００３９】
図４より、世代表示制御部１０６は、引用文献になる方向（図３の左方向）へ１回の検索毎に−１を加算するとともに、被引用文献になる方向（図３の右方向）へ１回の検索毎に＋１を加算し、検索が終了した時点の合計値を世代として表示する。
【００４０】
例えば、文献情報＃３１３は、ターゲット＃３０１を出発点として上記の計算を行うと「−１＋１＋１＝＋１」となり、世代は＋１になる。このように、本実施の形態では、ターゲット＃３０１から繰り返し検索を実行した場合、ターゲット＃３０１からの検索の回数と、引用文献であるか被引用文献であるかの文献種別とに応じて、各引用文献及び各被引用文献を世代毎に分類することができる。この結果、本実施の形態によれば、世代が「０」の文献または世代が「０」に近い文献を多数含む文献情報を生成することができる。世代が「０」の文献は、従来では一画面で表示できなかった文献である。
【００４１】
また、世代表示制御部１０６は、例えば、世代「０」を指示する世代指示信号が入力した場合に、世代「０」の引用文献及び被引用文献のみを一覧表示する。また、世代表示制御部１０６は、世代「０」を指示する世代指示信号が入力した場合に、世代「０」の文献である「特開２０００−５２０６４７」、「特開２００３−１２２７１５」、「特開２００３−１４０９８７」、「特開２００４−５２０６４７」、「特開２００４−８６３９１」及び「特開２００６−１５５６４９」の選択文献情報を生成し、生成した選択文献情報を時系列表示制御部１０５へ出力する。そして、時系列表示制御部１０５は、世代「０」の文献である「特開２０００−５２０６４７」、「特開２００３−１２２７１５」、「特開２００３−１４０９８７」、「特開２００４−５２０６４７」、「特開２００４−８６３９１」及び「特開２００６−１５５６４９」のみを関係付けて時系列で表示する。
【００４２】
また、世代表示制御部１０６は、入力部１０７から指示された発行年度の引用文献または被引用文献のみを含む文献情報を一覧表示する世代表示処理を実行することも可能である。例えば、図４の場合、世代表示制御部１０６は、入力部１０７から２００１年〜２００５年の発行年度の引用文献または被引用文献を表示する指示を受けた際に、「特開２００３−１２２７１５」、「特開２００３−１４０９８７」、「特開２００４−５２０６４７」、「特開２００４−８６３９１」、「特開２００１−２９０８１７」及び「特開２００２−３６６７５２」を一覧表示する。なお、この際に、世代表示制御部１０６は、入力部１０７の指示により、引用文献または被引用文献の発行年度と世代とで引例情報を選択して世代表示処理を実行しても良い。
【００４３】
なお、図４において、表示部１０８は、最初に設定したターゲット＃３０１の公開日を横軸の年度と関係付けて一覧表示したが、本発明はこれに限らず、最初に設定したターゲット＃３０１の出願日を横軸の年度と関係付けて一覧表示しても良い。これにより、ユーザは、ターゲット＃３０１に係る特許を無効にする文献になり得る引用文献及び被引用文献を一目で判断することができる。
【００４４】
このように、本実施の形態によれば、広範な文献を関係付けて表示することにより、有効な文献を容易に見つけることができるとともに、文献調査の効率を向上させることができる。また、本実施の形態によれば、表示する文献の範囲を世代により選択することができるので、表示する文献の範囲を容易に選択することができる。また、本実施の形態によれば、指示された世代に応じた文献の表示件数を表示するので、表示件数を見ながら選択する世代を調整することにより、文献情報を最適な表示件数に絞り込むことができる。
【００４５】
（実施の形態２）
図５は、本発明の実施の形態２に係る文献情報表示装置５００の構成を示すブロック図である。
【００４６】
図５に示す文献情報表示装置５００は、図１に示す実施の形態１に係る文献情報表示装置１００に対して、表示選択部５０１を追加する。なお、図５において、図１と同一構成である部分には同一の符号を付してその説明を省略する。
【００４７】
時系列表示制御部１０５は、文献情報抽出部１０３から入力した文献情報の引用文献及び被引用文献と、ターゲットとを互いに関係付ける関係付け処理を実行する。また、時系列表示制御部１０５は、文献情報抽出部１０３から入力した文献情報の引用文献、被引用文献及びターゲットを出願日または公開日等に応じて時系列に表示する表示データを生成する時系列表示処理を実行する。また、時系列表示制御部１０５は、世代表示制御部１０６から、選択された引用文献及び被引用文献の情報である選択文献情報が入力した際に、入力した選択文献情報の引用文献及び被引用文献のみを時系列に表示する表示データを生成する時系列表示処理を実行する。また、時系列表示制御部１０５は、引用文献及び被引用文献の現在のステータスに応じて表示を異ならせる処理を実行する。例えば、時系列表示制御部１０５は、各文献情報の表示を色抜きにするとともに、色抜きした際の色彩を現在の文献情報のステータスに応じて変える処理を実行する。そして、時系列表示制御部１０５は、入力部１０７から出力の指示を受けた際に、生成した表示データを表示選択部５０１へ出力する。
【００４８】
世代表示制御部１０６は、文献情報抽出部１０３から入力した文献情報及びターゲットに対して、引用文献であるか被引用文献であるかの文献種別と最初に設定したターゲットからの検索回数とによって決定される世代毎に、文献情報抽出部１０３から入力した文献情報及びターゲットを分類し、分類した世代毎に一覧表示する表示データを生成する世代表示処理を実行する。また、世代表示制御部１０６は、入力部１０７から世代を指示する世代指示信号が入力した際に、入力した世代指示信号によって指示された世代の表示データを生成する世代表示処理を実行する。そして、世代表示制御部１０６は、入力部１０７から出力の指示を受けた際に、生成した表示データを表示選択部５０１へ出力する。また、世代表示制御部１０６は、入力部１０７から世代を指示する世代指示信号が入力した際に、入力した世代指示信号によって指示された世代の引用文献及び被引用文献の選択文献情報を生成し、生成した選択文献情報を時系列表示制御部１０５へ出力する。
【００４９】
入力部１０７は、ターゲットの外部からの入力を受け付け、受け付けたターゲットをターゲット設定部１０４へ出力する。また、入力部１０７は、世代指示信号の入力を受け付け、受け付けた世代指示信号を世代表示制御部１０６へ出力する。また、入力部１０７は、時系列表示及び世代表示の表示形態選択信号の入力を受け付ける。そして、入力部１０７は、時系列表示の表示形態選択信号の入力を受け付けた場合には、時系列表示制御部１０５に対してデータの出力を指示する。一方、入力部１０７は、世代表示の表示形態選択信号の入力を受け付けた場合には、世代表示制御部１０６に対してデータの出力を指示する。また、入力部１０７は、ターゲットの更新回数の上限値の外部からの入力を受け付けて、受け付けた上限値をターゲット設定部１０４へ出力する。また、入力部１０７は、表示部１０８に表示する文献情報を選択するための選択情報の外部からの入力を受け付け、受け付けた選択情報を表示選択部５０１へ出力する。ここで、選択情報とは、例えば国際特許分類（ＩＰＣ）、キーワード、ＦＩ、Ｆタームまたは出願人等である。
【００５０】
表示選択部５０１は、入力部１０７から入力した選択情報に基づいて、時系列表示制御部１０５から入力した表示データの文献情報を選択する。例えば、表示選択部５０１は、選択情報として入力した国際特許分類と同一の国際特許分類が付与されている文献情報を選択する。そして、表示選択部５０１は、選択した文献情報のみの表示データを表示部１０８へ出力する。
【００５１】
表示部１０８は、表示選択部５０１から入力した表示データにより、ターゲットと関係付けた文献情報を表示する。また、表示部１０８は、指示された世代に応じた引用文献及び被引用文献の表示件数を文献情報と共に、または文献情報とは別に表示する。
【００５２】
次に、文献情報表示装置５００を用いた文献情報表示方法について、図６を用いて説明する。図６は、文献情報表示方法を示すシーケンス図である。なお、図６において、図２と同一処理である部分には同一の符号を付してその説明を省略する。
【００５３】
文献情報表示装置５００は、ステップＳＴ２０３〜ステップＳＴ２０８の処理を所定回数繰り返す。
【００５４】
次に、時系列表示制御部１０５は、文献情報抽出部１０３から順次入力した文献情報及びターゲットを出願日または公開日に応じた時系列に表示する表示データを生成する時系列表示処理を実行する。
【００５５】
また、世代表示制御部１０６は、文献情報抽出部１０３から順次入力した文献情報の引用文献であるか被引用文献でるかの文献種別と検索回数とによって特定される世代毎に分類し、世代毎に一覧表示する表示データを生成する世代表示処理を実行する。
【００５６】
次に、時系列表示制御部１０５は、入力部１０７から出力を指示された際に（ステップＳＴ６０１）、時系列表示処理した表示データを表示選択部５０１へ出力する（ステップＳＴ６０２）。
【００５７】
次に、表示選択部５０１は、入力部１０７からの選択情報を受けて（ステップＳＴ６０３）、引用文献または被引用文献を選択する。
【００５８】
次に。表示選択部５０１は、選択した引用文献及び被引用文献のみを含む文献情報を表示するための表示データを表示部１０８へ出力する（ステップＳＴ６０４）。
【００５９】
また、世代表示制御部１０６は、入力部１０７から出力を指示された際に（ステップＳＴ６０５）、世代表示処理した表示データを表示選択部５０１へ出力する（ステップＳＴ６０６）。
【００６０】
次に、表示選択部５０１は、入力部１０７からの選択情報を受けて（ステップＳＴ６０７）、表示データの文献情報を選択する。
【００６１】
次に。表示選択部５０１は、選択した引用文献及び被引用文献のみを含む文献情報を表示するための表示データを表示部１０８へ出力する（ステップＳＴ６０８）。
【００６２】
次に、世代表示制御部１０６は、入力部１０７から世代指示信号を受けて（ステップＳＴ６０９）、世代指示信号によって指示された世代の文献情報の表示データを生成して表示部１０８へ出力する（ステップＳＴ６１０）。なお、この際、表示選択部５０１は、すでに文献情報を選択済みであるので、世代表示制御部１０６から入力した表示データをそのまま表示部１０８へ出力する。
【００６３】
また、世代表示制御部１０６は、世代指示信号によって指示された世代の文献情報の選択文献情報を時系列表示制御部１０５へ出力する（ステップＳＴ６１１）。
【００６４】
次に、時系列表示制御部１０５は、入力部１０７から出力を指示された際に（ステップＳＴ６１２）、指示された世代の引用文献及び被引用文献の表示データを表示部１０８へ出力する（ステップＳＴ６１３）。なお、この際、表示選択部５０１は、すでに文献情報を選択済みであるので、時系列表示制御部１０５から入力した表示データをそのまま表示部１０８へ出力する。
【００６５】
例えば、図３及び図４の場合において、ユーザが、国際特許分類ＩＰＣの「Ｇ０６Ｆ１７／３０」のみを調査対象として考えていた際に、入力部１０７は、国際特許分類ＩＰＣの「Ｇ０６Ｆ１７／３０」のみを選択する選択情報を受け付ける。そして、表示選択部５０１は、国際特許分類ＩＰＣ「Ｇ０６Ｆ１７／３０」を有する引用文献＃３０２、引用文献＃３０６、引用文献＃３０５、引用文献＃３０７及び被引用文献＃３１４のみを選択する。これにより、表示部１０８は、引用文献＃３０２、引用文献＃３０６、引用文献＃３０５、引用文献＃３０７及び被引用文献＃３１４のみを表示する。
【００６６】
このように、本実施の形態によれば、上記実施の形態１の効果に加えて、文献情報を選択して表示することにより、必要な文献情報のみを表示するので、見やすい画面表示にすることができる。
【００６７】
なお、本実施の形態において、国際特許分類ＩＰＣにより文献情報を選択したが、本発明はこれに限らず、出願日、公開日、キーワード、ＦＩまたはＦターム等の任意の条件を選択情報に設定して引用文献または被引用文献を選択することができる。
【００６８】
（実施の形態３）
図７は、本発明の実施の形態３に係る文献情報表示システム７００の構成を示すブロック図である。文献情報表示装置７５０は、ＤＢ部７０１、データサーバ７０２、アプリケーションサーバ７０３及びＷｅｂサーバ７０４を含む。
【００６９】
ＤＢ部７０１は、整理標準化データ等の産業財産権に関するデータを格納する。ここで、産業財産権に関するデータは、適宜更新される情報である。
【００７０】
データサーバ７０２は、Ｗｅｂサーバ７０４を介して管理者端末７０７から検索式を取得し、取得した検索式に基づいて、ＤＢ部７０１に格納している産業財産権情報の検索を実行する。また、データサーバ７０２は、アプリケーションサーバ７０３からの検索要求に応じて、検索結果をアプリケーションサーバ７０３へ出力する。
【００７１】
アプリケーションサーバ７０３は、データサーバ７０２から検索結果を取得して、取得した検索結果を用いて文献情報表示処理を実行する。なお、アプリケーションサーバ７０３の詳細な構成については後述する。
【００７２】
Ｗｅｂサーバ７０４は、ネットワーク７０５を介して管理者端末７０７及び利用者端末７０８−１〜７０８−ｎに対して、アプリケーションサーバ７０３で文献情報表示処理されたデータに基づいて作成したＷｅｂページを公開する。また、Ｗｅｂサーバ７０４は、管理者端末７０７または利用者端末７０８−１〜７０８−ｎからネットワーク７０５を介して取得した、検索依頼、ターゲット、表示依頼及びターゲットの更新回数の上限値をアプリケーションサーバ７０３へ転送する処理を実行する。なお、Ｗｅｂサーバ７０４の詳細な構成については後述する。
【００７３】
ネットワーク７０５は、例えばインターネット等の公衆ネットワーク網であり、文献情報表示装置７５０と、ＤＢサーバ７０６、管理者端末７０７及び利用者端末７０８−１〜７０８−ｎとを接続する。
【００７４】
ＤＢサーバ７０６は、文献情報表示装置７５０から配信される産業財産権情報を取得して蓄積する。ここで、文献情報表示装置７５０から配信される産業財産権情報は、例えば公報ＰＤＦデータと公報ＣＳＶデータである。
【００７５】
管理者端末７０７は、時系列表示または世代表示による文献情報の表示を依頼する。そして、管理者端末７０７は、文献情報表示装置７５０から提供されるＷｅｂページ上で、表示の依頼をした文献情報を時系列表示または世代表示で閲覧することができる。また、管理者端末７０７は、ＤＢサーバ７０６に蓄積する産業財産権情報に対して、利用者端末７０８−１〜７０８−ｎの利用形態に応じた情報に加工し、加工後の情報をＤＢサーバ７０６に蓄積する。
【００７６】
利用者端末７０８−１〜７０８−ｎは、時系列表示または世代表示による文献情報の表示を依頼する。そして、利用者端末７０８−１〜７０８−ｎは、文献情報表示装置７５０から提供されるＷｅｂページ上で、依頼をした文献情報を時系列表示または世代表示で閲覧することができる。また、利用者端末７０８−１〜７０８−ｎは、管理者端末７０７で加工されてＤＢサーバ７０６に蓄積されている情報を閲覧することができる。
【００７７】
次に、アプリケーションサーバ７０３の詳細な構成について、図８を用いて説明する。図８は、アプリケーションサーバ７０３の構成を示すブロック図である。
【００７８】
インターフェース部８０１は、産業財産権情報取得部８０２からの検索依頼をデータサーバ７０２へ転送し、データサーバ７０２から検索依頼に応じた産業財産権情報を取得して産業財産権情報取得部８０２へ転送する。また、インターフェース部８０１は、Ｗｅｂサーバ７０４からターゲットを取得してターゲット設定部８０４へ出力する。また、インターフェース部８０１は、Ｗｅｂサーバ７０４から、時系列表示の表示形態での表示を依頼する表示依頼を取得した際に、取得した表示依頼を時系列表示フォーマット部８０５へ出力する。また、インターフェース部８０１は、Ｗｅｂサーバ７０４から、世代表示の表示形態での表示を依頼する表示依頼を取得した際に、取得した表示依頼を産業財産権情報取得部８０２へ出力する。また、インターフェース部８０１は、時系列表示フォーマット部８０５から入力した時系列表示データまたは世代表示フォーマット部８０６から入力した世代表示データをＷｅｂサーバ７０４へ出力する。また、インターフェース部８０１は、世代を指示するための世代指示信号の入力を受け付け、受け付けた世代指示信号を世代表示フォーマット部８０６へ出力する。また、インターフェース部８０１は、ターゲットの更新回数の上限値をＷｅｂサーバ７０４から取得して、取得した上限値をターゲット設定部８０４へ出力する。
【００７９】
産業財産権情報取得部８０２は、ターゲット設定部８０４から入力したターゲットの産業財産権情報を、インターフェース部８０１を介して、データサーバ７０２に格納されている産業財産権に関するデータの中から取得する。また、産業財産権情報取得部８０２は、取得した産業財産権情報を文献情報抽出部８０３へ出力する。
【００８０】
文献情報抽出部８０３は、産業財産権情報取得部８０２から入力した産業財産権情報の中から文献情報を抽出する。そして、文献情報抽出部８０３は、抽出した文献情報をターゲット設定部８０４、時系列表示フォーマット部８０５及び世代表示フォーマット部８０６へ出力する。
【００８１】
ターゲット設定部８０４は、インターフェース部８０１からターゲットが入力した場合に、入力したターゲットを産業財産権情報取得部８０２へ出力する。また、ターゲット設定部８０４は、文献情報抽出部８０３から文献情報が入力する毎に、入力した文献情報を新たにターゲットに各々設定することによりターゲットを更新する。そして、ターゲット設定部８０４は、更新したターゲットを産業財産権情報取得部８０２へ出力する。また、ターゲット設定部８０４は、ターゲットの更新回数が、ターゲットの更新回数の上限値に達した際に、産業財産権情報取得部８０２に対するターゲットの出力を停止する。
【００８２】
時系列表示フォーマット部８０５は、文献情報抽出部８０３から入力した文献情報の引用文献及び被引用文献と、ターゲットとを互いに関係付ける関係付け処理を実行する。また、時系列表示フォーマット部８０５は、文献情報抽出部８０３から入力した文献情報の引用文献、被引用文献及びターゲットを出願日または公開日等に応じて時系列に表示する表示データを生成する時系列表示処理を実行する。また、時系列表示フォーマット部８０５は、世代表示フォーマット部８０６から、選択された文献情報の情報である選択文献情報が入力した際に、入力した選択文献情報の文献情報のみを時系列に表示する表示データを生成する時系列表示処理を実行する。また、時系列表示フォーマット部８０５は、文献情報の現在のステータスに応じて表示を異ならせる処理を実行する。例えば、時系列表示フォーマット部８０５は、各文献情報の表示を色抜きにするとともに、色抜きした際の色彩を現在文献情報のステータスに応じて変える処理を実行する。そして、時系列表示フォーマット部８０５は、Ｗｅｂサーバ７０４からインターフェース部８０１を介して出力の指示を受けた際に、表示データをインターフェース部８０１を介してＷｅｂサーバ７０４へ出力する。
【００８３】
世代表示フォーマット部８０６は、文献情報抽出部８０３から入力した文献情報及びターゲットに対して、引用文献であるか被引用文献であるかの文献種別と最初に設定したターゲットからの検索回数とによって決定される世代毎に、文献情報抽出部８０３から入力した文献情報及びターゲットを分類し、分類した世代毎に文献情報を一覧表示する表示データを生成する世代表示処理を実行する。また、世代表示フォーマット部８０６は、Ｗｅｂサーバ７０４からインターフェース部８０１を介して世代を指示する世代指示信号が入力した際に、入力した世代指示信号によって指示された世代の表示データを生成する世代表示処理を実行する。そして、世代表示フォーマット部８０６は、Ｗｅｂサーバ７０４からインターフェース部８０１を介して出力の指示を受けた際に、表示データをインターフェース部８０１を介してＷｅｂサーバ７０４へ出力する。また、世代表示フォーマット部８０６は、Ｗｅｂサーバ７０４からインターフェース部８０１を介して世代指示信号が入力した際に、入力した世代指示信号によって指示された世代の文献情報の選択文献情報を生成し、生成した選択文献情報を時系列表示フォーマット部８０５へ出力する。
【００８４】
次に、Ｗｅｂサーバ７０４の詳細な構成について、図９を用いて説明する。図９は、Ｗｅｂサーバ７０４の構成を示すブロック図である。
【００８５】
インターフェース部９０１は、ネットワーク７０５を介して、管理者端末７０７との間で通信処理を行う通信機能を有する。また、インターフェース部９０１は、ネットワーク７０５を介して、管理者端末７０７から産業財産権情報の検索を依頼する検索依頼を受けた際に、データサーバ７０２に対して検索処理を実行させるとともに、時系列表示または世代表示による文献情報の表示を依頼する表示依頼を受けた際に、アプリケーションサーバ７０３に対して各依頼に応じた処理を実行させる処理実行機能を有する。また、インターフェース部９０１は、Ｗｅｂページ表示部９０６の表示内容を管理者端末７０７または利用者端末７０８−１〜７０８−ｎで閲覧可能にする。また、インターフェース部９０１は、管理者端末７０７または利用者端末７０８−１〜７０８−ｎからネットワーク７０５を介して取得した、検索依頼、ターゲット、表示依頼及びターゲットの更新回数の上限値をアプリケーションサーバ７０３へ転送する処理を実行する。
【００８６】
時系列表示用データ作成部９０２は、インターフェース部９０１から時系列表示用データを取得して、Ｗｅｂページ上で時系列表示するためのデータを作成する。そして、時系列表示用データ作成部９０２は、作成したデータを表示用データ記憶部９０５に記憶させる。
【００８７】
世代表示用データ作成部９０３は、インターフェース部９０１から世代表示データを取得して、Ｗｅｂページ上で世代表示するためのデータを作成する。そして、世代表示用データ作成部９０３は、作成したデータを表示用データ記憶部９０５に記憶させる。
【００８８】
処理内容判別部９０４は、インターフェース部９０１から取得した表示依頼の依頼内容を判別して、表示用データ記憶部９０５に対して、依頼に応じた表示形態のデータの出力を指示する。
【００８９】
表示用データ記憶部９０５は、時系列表示用データ作成部９０２から入力した時系列表示データまたは世代表示用データ作成部９０３から入力した世代表示データを記憶する。そして、表示用データ記憶部９０５は、処理内容判別部９０４の出力指示に従って、記憶している時系列表示データまたは世代表示データをＷｅｂページ表示部９０６へ出力する。
【００９０】
Ｗｅｂページ表示部９０６は、表示用データ記憶部９０５から入力した時系列表示データまたは世代表示データの、ターゲットと関係付けた文献情報をＷｅｂページで表示する表示処理機能を有する。また、Ｗｅｂページ表示部９０６は、指示された世代に応じた文献情報の表示件数を文献情報と共に、または文献情報とは別に表示する表示処理機能を有する。そして、Ｗｅｂページ表示部９０６は、表示処理を実行した後に、表示内容をインターフェース部９０１へ出力する。なお、文献情報表示方法については、図２〜図４と同一であるので、その説明は省略する。
【００９１】
このように、本実施の形態によれば、広範な文献を関係付けて表示することにより、有効な文献を容易に見つけることができるとともに、文献調査の効率を向上させることができる。また、本実施の形態によれば、表示する文献の範囲を世代により選択することができるので、表示する文献の範囲を容易に選択することができる。また、本実施の形態によれば、指示された世代に応じた文献の表示件数を表示するので、表示件数を見ながら選択する世代を調整することにより、文献情報を最適な表示件数に絞り込むことができる。
【００９２】
（実施の形態４）
図１０は、本発明の実施の形態に係るアプリケーションサーバ７０３の構成を示すブロック図である。
【００９３】
図１０に示すアプリケーションサーバ７０３は、図８に示す実施の形態３に係るアプリケーションサーバ７０３に対して、表示選択部１００１を追加する。なお、図１０において、図８と同一構成である部分には同一の符号を付してその説明を省略する。また、本実施の形態の文献情報表示システム７００及びＷｅｂサーバ７０４の構成は、図７及び図９と同一構成であるので、その説明を省略する。
【００９４】
インターフェース部８０１は、産業財産権情報取得部８０２からの検索依頼をデータサーバ７０２へ転送し、データサーバ７０２から検索依頼に応じた産業財産権情報を取得して産業財産権情報取得部８０２へ転送する。また、インターフェース部８０１は、Ｗｅｂサーバ７０４からターゲットを取得してターゲット設定部８０４へ出力する。また、インターフェース部８０１は、Ｗｅｂサーバ７０４から、時系列表示の表示形態での表示を依頼する表示依頼を取得して時系列表示フォーマット部８０５へ出力する。また、インターフェース部８０１は、世代表示の表示形態での表示を依頼する表示依頼を取得して産業財産権情報取得部８０２へ出力する。また、インターフェース部８０１は、文献情報を選択するための選択情報を取得して表示選択部１００１へ出力する。また、インターフェース部８０１は、表示選択部１００１から入力した時系列表示データまたは世代表示データをＷｅｂサーバ７０４へ出力する。また、インターフェース部８０１は、世代を指示するための世代指示信号の入力を受け付け、受け付けた世代指示信号を世代表示フォーマット部８０６へ出力する。
【００９５】
時系列表示フォーマット部８０５は、文献情報抽出部８０３から入力した文献情報と、ターゲットとを互いに関係付ける関係付け処理を実行する。また、時系列表示フォーマット部８０５は、文献情報抽出部８０３から入力した文献情報及びターゲットを出願日または公開日等に応じて時系列に表示する表示データを生成する時系列表示処理を実行する。また、時系列表示フォーマット部８０５は、世代表示フォーマット部８０６から、選択された文献情報である選択文献情報が入力した際に、入力した選択文献情報の文献情報のみを時系列に表示する表示データを生成する時系列表示処理を実行する。また、時系列表示フォーマット部８０５は、文献情報の現在のステータスに応じて表示を異ならせる処理を実行する。例えば、時系列表示フォーマット部８０５は、各文献情報の表示を色抜きにするとともに、色抜きした際の色彩を現在の文献情報のステータスに応じて変える処理を実行する。そして、時系列表示フォーマット部８０５は、生成した表示データを表示選択部１００１へ出力する。
【００９６】
世代表示フォーマット部８０６は、文献情報抽出部８０３から入力した文献情報及びターゲットに対して、引用文献であるか被引用文献であるかの文献種別と最初に設定したターゲットからの検索回数とによって決定される世代毎に、文献情報抽出部８０３から入力した文献情報及びターゲットを分類し、分類した世代毎に一覧表示する表示データを生成する世代表示処理を実行する。また、世代表示フォーマット部８０６は、Ｗｅｂサーバ７０４からインターフェース部８０１を介して世代を指示する世代指示信号が入力した際に、入力した世代指示信号によって指示された世代の表示データを生成する世代表示処理を実行する。そして、世代表示フォーマット部８０６は、生成した表示データを表示選択部１００１へ出力する。また、世代表示フォーマット部８０６は、Ｗｅｂサーバ７０４からインターフェース部８０１を介して世代指示信号が入力した際に、入力した世代指示信号によって指示された世代の文献情報の選択文献情報を生成し、生成した選択文献情報を時系列表示フォーマット部８０５へ出力する。
【００９７】
表示選択部１００１は、インターフェース部８０１から入力した選択情報に基づいて、時系列表示フォーマット部８０５または世代表示フォーマット部８０６から入力した表示データの文献情報を選択する。そして、表示選択部１００１は、Ｗｅｂサーバ７０４からインターフェース部８０１を介して出力の指示を受けた際に、選択した文献情報のみを表示するための表示データをインターフェース部８０１を介してＷｅｂサーバ７０４へ出力する。なお、文献情報表示方法については、図２〜図４と同一であるので、その説明は省略する。
【００９８】
このように、本実施の形態によれば、上記実施の形態１の効果に加えて、文献情報を選択して表示することにより、必要な文献情報のみを表示するので、見やすい画面表示にすることができる。
【００９９】
（実施の形態５）
図１１は、本発明の実施の形態５に係る文献情報表示装置１１００の構成を示すブロック図である。
【０１００】
図１１に示す文献情報表示装置１１００は、図１に示す実施の形態１に係る文献情報表示装置１００に対して、記憶部１１０２を追加し、時系列表示制御部１０５の代わりに時系列表示装置１１０１を有する。なお、図１１において、図１と同一構成である部分には同一の符号を付してその説明を省略する。
【０１０１】
文献情報抽出部１０３は、産業財産権情報取得部１０２から入力した産業財産権情報から文献情報を抽出する。そして、文献情報抽出部１０３は、抽出した文献情報をターゲット設定部１０４、時系列表示制御部１１０１及び世代表示制御部１０６へ出力する。また、文献情報抽出部１０３は、産業財産権情報取得部１０２から入力したターゲットを文献情報と共に時系列表示制御部１１０１及び世代表示制御部１０６へ出力する。
【０１０２】
時系列表示制御部１１０１は、文献情報抽出部１０３から入力した文献情報と、ターゲットとを互いに関係付ける関係付け処理を実行する。また、時系列表示制御部１１０１は、文献情報抽出部１０３から入力した文献情報及びターゲットを出願日または公開日等に応じて時系列に表示する表示データを生成する時系列表示処理を実行する。また、時系列表示制御部１１０１は、世代表示制御部１０６から、選択された文献情報である選択文献情報が入力した際に、入力した選択文献情報の文献情報のみを時系列に表示する表示データを生成する時系列表示処理を実行する。また、時系列表示制御部１１０１は、文献情報の現在のステータスに応じて表示を異ならせる処理を実行する。例えば、時系列表示制御部１１０１は、各文献情報の表示を色抜きにするとともに、色抜きした際の色彩を現在の文献情報のステータスに応じて変える処理を実行する。そして、時系列表示制御部１１０１は、入力部１０７から出力の指示を受けた際に、生成した表示データを表示部１０８へ出力する。
【０１０３】
また、時系列表示制御部１１０１は、入力部１０７から出力の指示を受けない場合には、生成した表示データを記憶部１１０２に記憶させる。また、時系列表示制御部１１０１は、新たに生成した表示データと記憶部１１０２に記憶している表示データとを合成して、表示部１０８の１画面に表示するための合成処理を実行する。この際に、時系列表示制御部１１０１は、重複した文献情報がある場合には１つに統合し、統合した文献情報を強調表示するための強調表示処理を実行する。また、時系列表示制御部１１０１は、合成処理及び強調表示処理を実行した後に入力部１０７から出力の指示を受けた際に、生成した表示データを表示部１０８へ出力する。
【０１０４】
記憶部１１０２は、時系列表示制御部１１０１が生成した表示データを記憶する。
【０１０５】
世代表示制御部１０６は、文献情報抽出部１０３から入力した文献情報及びターゲットに対して、引用文献でるか被引用文献であるかの文献種別と最初に設定したターゲットからの検索回数とによって決定される世代毎に、文献情報抽出部１０３から入力した文献情報及びターゲットを分類し、分類した世代毎に一覧表示する表示データを生成する世代表示処理を実行する。また、世代表示制御部１０６は、入力部１０７から世代を指示する世代指示信号が入力した際に、入力した世代指示信号によって指示された世代の表示データを生成する世代表示処理を実行する。そして、世代表示制御部１０６は、入力部１０７から出力の指示を受けた際に、生成した表示データを表示部１０８へ出力する。また、世代表示制御部１０６は、入力部１０７から世代を指示する世代指示信号が入力した際に、入力した世代指示信号によって指示された世代の文献情報の選択文献情報を生成し、生成した選択文献情報を時系列表示制御部１１０１へ出力する。
【０１０６】
入力部１０７は、ターゲットの外部からの入力を受け付け、受け付けたターゲットをターゲット設定部１０４へ出力する。また、入力部１０７は、世代指示信号の入力を受け付け、受け付けた世代指示信号を世代表示制御部１０６へ出力する。また、入力部１０７は、時系列表示及び世代表示の表示形態選択信号の入力を受け付ける。そして、入力部１０７は、時系列表示の表示形態選択信号の入力を受け付けた場合には、時系列表示制御部１１０１に対してデータの出力を指示する。一方、入力部１０７は、世代表示の表示形態選択信号の入力を受け付けた場合には、世代表示制御部１０６に対してデータの出力を指示する。また、入力部１０７は、ターゲットの更新回数の上限値の外部からの入力を受け付けて、受け付けた上限値をターゲット設定部１０４へ出力する。
【０１０７】
表示部１０８は、時系列表示制御部１１０１または世代表示制御部１０６から入力した表示データにより文献情報を表示する。また、表示部１０８は、世代指示信号によって指示された世代に応じた引用文献及び被引用文献の表示件数を文献情報と共に、または文献情報とは別に表示する。
【０１０８】
次に、文献情報表示装置１１００を用いた文献情報表示方法について、図１２を用いて説明する。図１２は、文献情報表示方法を示すシーケンス図である。
【０１０９】
最初に、格納部１０１は、整理標準化データ等の産業財産権に関するデータを取得する（ステップＳＴ１２０１）。
【０１１０】
次に、入力部１０７は、ターゲットの外部からの入力を受け付け、受け付けたターゲットをターゲット設定部１０４へ出力し、ターゲット設定部１０４は、ターゲットを産業財産権情報取得部１０２へ出力する（ステップＳＴ１２０２）。
【０１１１】
次に、産業財産権情報取得部１０２は、格納部１０１に格納されている産業財産権に関するデータの中から、ターゲットの産業財産権情報を取得する（ステップＳＴ１２０３）。
【０１１２】
次に、産業財産権情報取得部１０２は、取得した産業財産権情報を文献情報抽出部１０３へ出力する（ステップＳＴ１２０４）。
【０１１３】
次に、文献情報抽出部１０３は、取得した産業財産権情報から文献情報を抽出し、抽出した文献情報を時系列表示制御部１１０１、世代表示制御部１０６及びターゲット設定部１０４へ出力する（ステップＳＴ１２０５〜ステップＳＴ１２０７）。
【０１１４】
次に、ターゲット設定部１０４は、文献情報抽出部１０３から入力した文献情報の引用文献及び被引用文献をターゲットに新たに設定することによりターゲットを更新する。そして、ターゲット設定部１０４は、産業財産権情報取得部１０２に対して、更新したターゲットで検索を実行させる（ステップＳＴ１２０８）。
【０１１５】
そして、文献情報表示装置１１００は、ステップＳＴ１２０３〜ステップＳＴ１２０８の処理を所定回数繰り返す。
【０１１６】
次に、時系列表示制御部１１０１は、生成した表示データを記憶部１１０２に記憶させる（ステップＳＴ１２０９）。
【０１１７】
次に、入力部１０７は、新たなターゲットの外部からの入力を受け付け、受け付けたターゲットをターゲット設定部１０４へ出力し、ターゲット設定部１０４は、ターゲットを産業財産権情報取得部１０２へ出力する（ステップＳＴ１２１０）。
【０１１８】
次に、産業財産権情報取得部１０２は、ターゲットを用いて格納部１０１に格納されている産業財産権に関するデータの中から、ターゲットの産業財産権情報を取得する（ステップＳＴ１２１１）。
【０１１９】
次に、産業財産権情報取得部１０２は、取得した産業財産権情報を文献情報抽出部１０３へ出力する（ステップＳＴ１２１２）。
【０１２０】
次に、文献情報抽出部１０３は、取得した産業財産権情報から文献情報を抽出し、抽出した文献情報を時系列表示制御部１１０１、世代表示制御部１０６及びターゲット設定部１０４へ出力する（ステップＳＴ１２１２〜ステップＳＴ１２１４）。
【０１２１】
次に、ターゲット設定部１０４は、文献情報抽出部１０３から入力した文献情報の引用文献及び被引用文献をターゲットに新たに設定することによりターゲットを更新する（ステップＳＴ１２１５）。そして、ターゲット設定部１０４は、産業財産権情報取得部１０２に対して、更新したターゲットで検索を実行させる（ステップＳＴ１２１６）。
【０１２２】
そして、文献情報表示装置１１００は、ステップＳＴ１２１０〜ステップＳＴ１２１６の処理を所定回数繰り返す。
【０１２３】
次に、時系列表示制御部１１０１は、ステップＳＴ１２０２〜ステップＳＴ１２０８の処理、及びステップＳＴ１２０３〜ステップＳＴ１２０８の処理を所定回数繰り返すことにより生成した表示データを記憶部１１０２から読み出して（ステップＳＴ１２１７）、読み出した表示データと、ステップＳＴ１２１０〜ステップＳＴ１２１６の処理、及びステップＳＴ１２１０〜ステップＳＴ１２１６の処理を所定回数繰り返すことにより生成した表示データとを合成する合成処理を実行する。
【０１２４】
次に、時系列表示制御部１１０１は、入力部１０７から出力を指示された際に（ステップＳＴ１２１８）、指示された世代の引用文献及び被引用文献の表示データを表示部１０８へ出力する（ステップＳＴ１２１９）。なお、世代表示制御部１０６が生成した表示データを表示部１０８が表示するまでの処理等のステップＳＴ１２１９以降の処理は、図２のステップＳＴ２１１〜ステップＳＴ２１７と同一であるので、その説明を省略する。
【０１２５】
図１３は、時系列表示処理した表示データにより文献情報を表示部１０８に表示した状態を示す図である。
【０１２６】
図１３より、産業財産権情報取得部１０２は、図３で説明した方法と同様の方法により、ターゲット＃３０１である「特開２００６−１５５６４９」から検索を繰り返し実行し、時系列表示制御部１１０１は、関係付け処理及び時系列表示処理を実行する。そして、記憶部１１０２は、時系列表示＃１３１０するための表示データを記憶する。
【０１２７】
一方、産業財産権情報取得部１０２は、ターゲット＃３０１とは無関係に設定したターゲット＃１３０１である「特開２０００−２７８６６７」を用いて検索を実行することにより、文献情報抽出部１０３は、ターゲット＃１３０１の１世代前の引用文献＃１３０２である「特開平１０−１７３６１２」、ターゲット＃１３０１の１世代前の引用文献＃１３０３である「特開平２−１１０６６０」、ターゲット＃１３０１の１世代前の引用文献＃１３０４である「特開平１０−１７４００７」、ターゲット＃１３０１の１世代前の引用文献＃１３０５である「特開平１０−２４３３６１」及びターゲット１３０１の１世代後の被引用文献＃１３０６である「特開２００３−２７１７７１」を取得する。また、ターゲット設定部１０４は、引用文献＃１３０２を新たなターゲットとして設定し、産業財産権情報取得部１０２は、引用文献＃１３０２を用いて検索を実行することにより、文献情報抽出部１０３は、ターゲット＃１３０１の２世代前の引用文献＃１３０７である「特開平８−２３３１５」、ターゲット＃１３０１と同世代の被引用文献＃３１２である「特開２０００−５７０３６」及びターゲット＃１３０１と同世代の被引用文献＃１３０８である「特開２０００−２７８６６７」を取得する。そして、記憶部１１０２は、時系列表示＃１３２０するための表示データを記憶する。
【０１２８】
また、時系列表示制御部１１０１は、時系列表示＃１３１０の表示データと時系列表示処理＃１３２０の表示データとを合成する合成処理を実行する。この際に、時系列表示制御部１１０１は、時系列表示＃１３１０の表示データと時系列表示処理＃１３２０の表示データとで重複する引用文献＃３１２を一つに統合するとともに、引用文献＃３１２を強調表示する強調表示処理を実行する。そして、表示部１０８は、図１３に示すように、時系列表示制御部１１０１における上記の一連の処理実行後の表示データにより文献情報を１画面で表示する。
【０１２９】
このように、本実施の形態によれば、上記実施の形態１の効果に加えて、異なるターゲットを出発点とした複数の文献情報を合成して１画面で表示することにより、文献調査の効率をさらに向上させることができる。例えば、物と方法等の異なるカテゴリにより設定した異なるターゲットを出発点とした複数の文献情報を合成して１画面で表示することにより、無効審判で無効資料として使用できる有力な文献を見つける可能性を高くすることができる。
【０１３０】
なお、本実施の形態において、２つの異なるターゲットを出発点とした複数の文献情報を合成して１画面で表示したが、本発明はこれに限らず、３つ以上の任意の数の異なるターゲットを出発点とした複数の文献情報を合成して１画面で表示することができる。
【０１３１】
（実施の形態６）
図１４は、本発明の実施の形態６に係るアプリケーションサーバ７０３の構成を示すブロック図である。
【０１３２】
図１４に示すアプリケーションサーバ７０３は、図８に示す実施の形態３に係るアプリケーションサーバ７０３に対して、記憶部１４０１を追加する。なお、図１４において、図８と同一構成である部分には同一の符号を付してその説明を省略する。
【０１３３】
時系列表示フォーマット部８０５は、文献情報抽出部８０３から入力した文献情報と、ターゲットとを互いに関係付ける関係付け処理を実行する。また、時系列表示フォーマット部８０５は、文献情報抽出部８０３から入力した文献情報及びターゲットを出願日または公開日等に応じて時系列に表示する表示データを生成する時系列表示処理を実行する。また、時系列表示フォーマット部８０５は、世代表示フォマット部８０６から、選択された文献情報である選択文献情報が入力した際に、入力した選択文献情報の文献情報のみを時系列に表示する表示データを生成する時系列表示処理を実行する。また、時系列表示フォーマット部８０５は、引用文献及び被引用文献の現在のステータスに応じて表示を異ならせる処理を実行する。例えば、時系列表示フォーマット部８０５は、各文献情報の表示を色抜きにするとともに、色抜きした際の色彩を現在の文献情報のステータスに応じて変える処理を実行する。そして、時系列表示フォーマット部８０５は、Ｗｅｂサーバ７０４からインターフェース部８０１を介して出力の指示を受けた際に、表示データをインターフェース部８０１を介してＷｅｂサーバ７０４へ出力する。
【０１３４】
また、時系列表示フォーマット部８０５は、Ｗｅｂサーバ７０４から出力の指示を受けない場合には、生成した表示データを記憶部１４０１に記憶させる。また、時系列表示制御フォーマット部８０５は、新たに生成した表示データと記憶部１４０１に記憶している表示データとを合成して、Ｗｅｂページ上で１画面に表示するための合成処理を実行する。この際に、時系列表示フォーマット部８０５は、重複した文献情報がある場合には１つに統合し、統合した文献情報を強調表示するための強調表示処理を実行する。また、時系列表示フォーマット部８０５は、合成処理及び強調表示処理を実行した後に、Ｗｅｂサーバ７０４からインターフェース部８０１を介して出力の指示を受けた際に、表示データをインターフェース部８０１を介してＷｅｂサーバ７０４へ出力する。
【０１３５】
なお、アプリケーションサーバ以外の構成は、図７及び図９と同一構成であるとともに、文献表示方法は図１２と同一であるので、その説明を省略する。
【０１３６】
このように、本実施の形態によれば、上記実施の形態３の効果に加えて、異なるターゲットを出発点とした複数の文献情報を合成して１画面で表示することにより、文献調査の効率をさらに向上させることができる。例えば、物と方法等の異なるカテゴリにより設定した異なるターゲットを出発点とした複数の文献情報を合成して１画面で表示することにより、無効審判で無効資料として使用できる有力な文献を見つける可能性を高くすることができる。
【０１３７】
なお、本実施の形態において、２つの異なるターゲットを出発点とした複数の文献情報を合成して１画面で表示したが、本発明はこれに限らず、３つ以上の任意の数の異なるターゲットを出発点とした複数の文献情報を合成して１画面で表示することができる。
【０１３８】
上記実施の形態１〜実施の形態６において、出願番号または公開番号を文献情報として表示したが、本発明はこれに限らず、請求の範囲、明細書または要約書の文書を文献情報として表示しても良い。また、実施の形態１〜実施の形態６において、拒絶理由通知または拒絶査定で引用された文献を文献情報としたが、本発明はこれに限らず、明細書の文書中に従来技術として記載された文献を文献情報として表示しても良いし、各ユーザが従来技術の文献としてマニュアル入力した文献を文献情報として表示しても良い。また、上記実施の形態１〜実施の形態６において、表示方法は時系列表示と世代表示の二尺択一にしたが、本発明はこれに限らず、引用文献及び被引用文献を単に羅列しただけの一覧表示にしても良い。また、上記実施の形態１〜実施の形態６において、ターゲットに対して引用文献の関係にある場合は−１を加算するとともに被引用文献の関係にある場合は＋１を加算したが、本発明はこれに限らず、ターゲットに対して引用文献及び被引用文献の何れの関係にある場合でも＋１を加算しても良い。この場合、抽出を開始する前にあらかじめ世代指示信号により世代を指定することにより、文献情報の抽出回数を指定することができ、文献情報の表示と文献情報の抽出の双方の制御処理を兼用することができる。
【産業上の利用可能性】
【０１３９】
本発明の文献情報表示装置及び文献情報表示方法は、例えば産業財産権に関する出願の審査で引用された文献を表示するのに好適である。
【図面の簡単な説明】
【０１４０】
【図１】本発明の実施の形態１に係る文献情報表示装置の構成を示すブロック図
【図２】本発明の実施の形態１に係る文献情報表示方法を示すシーケンス図
【図３】本発明の実施の形態１に係る文献情報の表示を示す図
【図４】本発明の実施の形態１に係る文献情報の表示を示す図
【図５】本発明の実施の形態２に係る文献情報表示装置の構成を示すブロック図
【図６】本発明の実施の形態２に係る文献情報表示方法を示すシーケンス図
【図７】本発明の実施の形態３に係る文献情報表示システムの構成を示すブロック図
【図８】本発明の実施の形態３に係るアプリケーションサーバの構成を示すブロック図
【図９】本発明の実施の形態３に係るＷｅｂサーバの構成を示すブロック図
【図１０】本発明の実施の形態４に係るアプリケーションサーバの構成を示すブロック図
【図１１】本発明の実施の形態５に係る文献情報表示装置の構成を示すブロック図
【図１２】本発明の実施の形態５に係る文献情報表示方法を示すシーケンス図
【図１３】本発明の実施の形態５に係る文献情報の表示を示す図
【図１４】本発明の実施の形態６に係るアプリケーションサーバの構成を示すブロック図
【符号の説明】
【０１４１】
１００、５００、１１００  文献情報表示装置
１０１  格納部
１０２  産業財産権情報取得部
１０３  文献情報抽出部
１０４  ターゲット設定部
１０５  時系列表示制御部
１０６  世代表示制御部
１０７  入力部
１０８  表示部
【図１】
2009116536.tif 000003
【図２】
2009116536.tif 000004
【図３】
2009116536.tif 000005
【図４】
2009116536.tif 000006
【図５】
2009116536.tif 000007
【図６】
2009116536.tif 000008
【図７】
2009116536.tif 000009
【図８】
2009116536.tif 000010
【図９】
2009116536.tif 000011
【図１０】
2009116536.tif 000012
【図１１】
2009116536.tif 000013
【図１２】
2009116536.tif 000014
【図１３】
2009116536.tif 000015
【図１４】
2009116536.tif 000016